(57)【要約】【課題】複数のラインセンサを千鳥状に配列して大判原稿の画像を読み取る画像読取装置において、画像読取部の副走査方向の前後部分に、駆動ローラと原稿５をこれに圧接させて挟持する従動ローラを設けるとともに、画像読取部上を搬送される原稿をコンタクトガラスに密着させる原稿押圧部材を設けて構成され、装置の副走査方向に原稿搬送機構を設けるスペースが必要となり、これにより装置を小型化することが困難となるとともに、部品点数が多くなることにより、作成コストが増大し、装置が高価なものとなってしまうといった不具合を解消するためになされたものである。【解決手段】  本発明の画像読取装置においては、画像を読み取るべき原稿に作用してこれを副走査方向に搬送する原稿搬送手段を、主走査方向に読取画素が所定量重なるように千鳥状に２列に配列される複数個のイメージセンサの、各々主走査方向両端側に設けて構成した。【選択図】        図１
2006313995.tif 000002
【特許請求の範囲】
【請求項１】
主走査方向に読取画素が所定量重なるように千鳥状に２列に配列される複数個のイメージセンサと、原稿に作用してこれを副走査方向に搬送する原稿搬送手段とを有し、各イメージセンサより得られる画像データより原稿全体の画像データを作成する画像読取装置において、
上記原稿搬送手段は、各イメージセンサの主走査方向両端側に設けられることを特徴とする画像読取装置。
【請求項２】
請求項１記載の画像読取装置において、
上記原稿搬送手段は、原稿を介して互いに圧接するよう設けられる駆動ローラと従動ローラが、上記各イメージセンサの主走査方向両側に配設されるよう構成されることを特徴とする画像読取装置。
【請求項３】
上記原稿搬送手段は、イメージセンサの主走査方向両側に配列される従動ローラと、原稿を介して上記従動ローラと互いに圧接するよう設けられる駆動ローラとにより構成されることを特徴とする請求項２に記載の画像読取装置。
【請求項４】
請求項３記載の画像読取装置において、
原稿搬送手段の駆動ローラは、上記千鳥状に配列されるイメージセンサおよび従動ローラに対向するよう主走査方向に配設される２本のローラにより構成されることを特徴とする画像読取装置。
【請求項５】
請求項３記載の画像読取装置において、
原稿搬送手段の駆動ローラは、上記千鳥状に配列されるイメージセンサおよび従動ローラに対向する主走査方向に延びる２本の直線を回転軸とする複数のローラにより構成されることを特徴とする画像読取装置。
【請求項６】
上記原稿搬送手段の従動ローラと駆動ローラが原稿を介して圧接される際、原稿と上記イメージセンサ間に所定の間隙が形成されることを特徴とする請求項３乃至５の何れかに記載の画像読取装置。
【請求項７】
上記原稿搬送手段の従動ローラと駆動ローラが原稿を介して圧接される際、駆動ローラが原稿をイメージセンサの方向へ押圧することを特徴とする請求項３乃至５のいずれかに記載の画像読取装置。
【請求項８】
上記原稿搬送手段は、イメージセンサの主走査方向両側に配列される駆動ローラと、原稿を介して上記駆動ローラと互いに圧接するよう設けられる従動ローラとにより構成されることを特徴とする請求項２記載の画像読取装置。
【請求項９】
請求項１または２に記載の画像読取装置において、
上記原稿搬送手段により副走査方向に搬送される原稿に作用して、これを上記イメージセンサの方向へ押圧する押圧手段を有することを特徴とする画像読取装置。
【請求項１０】
上記原稿搬送手段の原稿搬送経路上流側の駆動ローラと従動ローラが原稿を介して圧接される際、下流側の駆動ローラと従動ローラに作用する上記押圧手段の押圧力に抗して圧接を解除する手段を設けたことを特徴とする請求項９記載の画像読取装置。
【請求項１１】
原稿の搬送をガイドするとともに、上記原稿搬送手段の駆動ローラと従動ローラが原稿を介して圧接される際、原稿の厚みに応じて上記押圧手段の押圧力に抗して変位する原稿搬送手段と同期して変位するよう構成された原稿ガイドを設けたことを特徴とする請求項９または１０に記載の画像読取装置。
【請求項１２】
請求項１または２に記載の画像読取装置において、
各イメージセンサの主走査方向の配列間隔が、原稿搬送方向上流側と下流側で異なるよう設けられることを特徴とする画像読取装置。
【請求項１３】
原稿搬送方向一方側の少なくとも一つのイメージセンサに対し、当該イメージセンサに読取画素が重なる２つのイメージセンサが主走査両側方向に離反するように配列されることを特徴とする請求項１２に記載の画像読取装置。
【発明の詳細な説明】
【技術分野】
【０００１】
本発明は画像読取装置に関するもので、さらに詳しくは、読取画素が列状に配列されるラインセンサを主走査方向に複数個千鳥状に配列し、これと直交する副走査方向に搬送される読み取るべき画像が形成された大判の原稿を、このラインセンサにより順次読み取る画像読取装置に関するものである。
【背景技術】
【０００２】
図１１は、この種の画像読取装置である原稿搬送型スキャナの構成を示す図であり、図において１はスキャナ本体、２は図の主走査方向に順次０，１，２，・・・・，Ｎ−１，Ｎと光電変換素子よりなる読み取り画素が列状に複数個配列される密着型イメージセンサ、３は原稿搬送部、４は原稿押圧部、５は原稿、７は制御部である。
スキャナ本体のフレームとなる基台１１は、主走査方向に延設される断面視コ字状の形状を有して形成され、Ａ０，Ａ１といった大判の原稿画像を読み取るために複数の密着型イメージセンサＳ１，Ｓ２，Ｓ３，・・・・が副走査方向に間隔ｌだけ離反するよう千鳥状に２列に配列されている。また、基台１１上には、透明なガラス部材等よりなるコンタクトガラス１２が設けられており、これら基台１１，密着型センサ２，コンタクトガラス１２とで画像読取部が構成されている。
この画像読取部の副走査方向前後部分には、図示しない回転駆動機構により回転駆動力が伝達される駆動ローラ３１と、この駆動ローラ３１に圧接して原稿５を挟持する従動ローラであるピンチローラ３２により構成される原稿搬送部３が設けられている。
この画像読取装置により原稿画像の読み取りを行う場合、先ず原稿５を副走査方向上流側に設けられた駆動ローラ３１とピンチローラ３２の間に挿入してこれを挟持させ、駆動ローラ３１を図の矢印方向に回転駆動させて原稿５を副走査方向に搬送する。この原稿５の搬送と同期して、センサ２により原稿画像を順次読み取り、これを主走査方向１ライン毎のデータとしてラインバッファ７２に格納保持し、フレームメモリ７３がこのラインバッファ７２から読み出した１ライン毎のデータより、各センサの副走査方向方向の離反距離（ｌ）分シフトさせて合成することにより、原稿５全体の画像データを作成するよう構成されている。
作成された原稿５の画像データは、インターフェース回路７４を経由して、コンピュータ等の上位装置に送信される。
【０００３】
この画像読取装置に用いられる密着型イメージセンサ２においては、光源２１から照射された光線が原稿５より反射してレンズアレイ２２に入射し、ラインセンサ２３上で結像するよう設けられているので、良好な画像読取を行うためには、原稿５がコンタクトガラス１２に密着して搬送されることが必要不可欠となる。そこで、この種の原稿搬送型の画像読取装置においては、画像読取部上を搬送される原稿５をコンタクトガラス１２に押圧する原稿押圧部４を設け、これにより原稿５をコンタクトガラス１２の方向に付勢して密着させるよう構成されている。
この原稿押圧機構は、原稿５をコンタクトガラス１２に密着させるために、コンタクトガラス１２と同一平面を有した板状部材からなる押圧部材４０を、主走査，副走査方向に固定して原稿５の直上からこれを作用させ、その自重を押圧力とするよう構成されている。
【特許文献１】特開２００３−１２５１５９号公報
【０００４】
複数のラインセンサを千鳥状に配列して大判原稿の画像を読み取るこの種の画像読取装置においては、上述の通り画像読取部の副走査方向の前後部分に、駆動ローラ３１と原稿５をこれに圧接させて挟持する従動ローラであるピンチローラ３２を設けるとともに、画像読取部上を搬送される原稿５をコンタクトガラス１２に密着させる原稿押圧部材４を設けて構成されているので、装置の副走査方向にそれぞれ原稿搬送機構を設けるスペースが必要となり、これにより装置を小型化することが困難となるとともに、部品点数が多くなることにより、作成コストが増大し、装置が高価なものとなってしまうといった不具合が生じていた。
これに対して、本願出願人は、先に出願した特願２００５−０８４８４４号において、原稿に作用してこれを副走査方向に搬送する、駆動ローラとピンチローラよりなる搬送手段を、千鳥状に配列されるイメージセンサと逆位相となる領域に千鳥状に配設して構成した画像読取装置を提案した。
図１２は、先に出願した画像読取装置を示す図であり、画像読取装置本体に対して回動可能に取り付けられて開閉するよう設けられるトップカバー部材６に、複数の密着型イメージセンサ２を副走査方向に間隔ｌだけ離反するよう千鳥状に２列に配設し、画像読取装置本体１に、この密着型イメージセンサ２に対応して、主走査方向に延設するように且つ互いに副走査方向に間隔ｌだけ離反して設けられる２本の駆動ローラ８１と、トップカバー部材６が閉じた状態でこの駆動ローラ８１に圧接するよう、密着型センサ２と逆位相となるように千鳥状に配列された複数の従動ローラ８２により構成される原稿搬送機構８を設けて構成した。
原稿の搬送（原稿画像読取動作）時においては、トップカバー部材６が閉じられることにより、原稿は駆動ローラ８１と従動ローラ８２により挟持され、この状態で２本の駆動ローラ８１が回転駆動されることにより、原稿が副走査方向へ搬送されるよう構成されている。
先に出願したこの画像読取装置によれば、従来必要とされていた画像読取部の副走査方向前後部分の原稿搬送機構を設けるスペースが不要となり、装置を小型化することが可能となった。
【発明の開示】
【発明が解決しようとする課題】
【０００５】
先に出願したこの画像読取装置における原稿搬送部においては、千鳥状に配列されるイメージセンサからなる画像読取部の、イメージセンサと逆位相となる千鳥状に形成される領域に設けた従動ローラを、当該領域全体に複数個のローラ部材を並列させて構成しているので、全体として部品点数が多くなり、これにより製作コストが上昇するといった問題が生じていた。また、この不具合を解消するために、イメージセンサと逆位相となる千鳥状に形成される領域に設ける従動ローラを、当該領域全体に亘るような一本のローラで構成し、全体の部品点数を削減することが考えられるが、この場合、従動ローラとカバー部材の間に主走査方向に延びる隙間が形成されることとなり、例えば巻き癖のついたような薄い原稿などの画像を読み取るといった際に、この従動ローラとカバー部材の隙間に原稿が入り込んで、搬送時にジャム現象を起こしてしまうといった新たな不具合が生じることとなっていた。
本発明はこれら不具合を解消するためになされたものである。
【課題を解決するための手段】
【０００６】
本発明の画像読取装置においては、画像を読み取るべき原稿に作用してこれを副走査方向に搬送する原稿搬送手段を、主走査方向に読取画素が所定量重なるように千鳥状に２列に配列される複数個のイメージセンサの、各々主走査方向両端側に設けて構成した。
【発明の効果】
【０００７】
本発明の画像読取装置によれば、原稿搬送を良好に行うことができるとともに、部品点数を削減して装置を安価に作成することが可能となる。
【発明を実施するための最良の形態】
【０００８】
読み取るべき画像が形成された原稿を介して互いに圧接される駆動ローラおよび従動ローラからなる原稿搬送手段を、主走査方向に読取画素が所定量重なるように千鳥状に２列に配列される複数個のイメージセンサの、各々主走査方向両側に設けて構成した。
【実施例１】
【０００９】
以下図面に基づいて、本発明の画像読取装置を説明する。
図１乃至図３は本発明の画像読取装置を示す図であり、上述の従来の装置ならびに先に出願した装置と同等の構成については同一の符号が付与されている。
図において６は、画像読取装置本体１に対して回動可能に取り付けられて開閉するよう設けられるトップカバー部材であり、本実施例においても先の出願の装置と同じく、このトップカバー部材６に密着型イメージセンサ２が設けられている。このように構成することにより、原稿５の画像読取動作の際に、操作者がこの原稿５の読み取るべき画像が形成される側を確認することができるという効果を奏するものであるが、上述の従来の装置と同様に、密着型イメージセンサ２を画像読取装置本体１の側に設けてもよい。
図に示されるとおり、本発明の画像読取装置においても、複数の密着型イメージセンサ２が副走査方向に間隔ｌだけ離反して、千鳥状に２列に配列されており、大判原稿５に対して主走査方向全幅領域における画像読取が可能となるよう構成されている。
【００１０】
本発明の画像読取装置における原稿搬送手段８は、画像読取装置本体１側に設けられる駆動ローラ８１と、カバー部材６側に設けられる従動ローラ８２とにより構成されている。駆動ローラ８１は、互いに副走査方向に間隔ｌだけ離反して設けられる２本の回転軸８１０に、上記密着型イメージセンサ２に対応するよう千鳥状に配設されており、また、従動ローラ８２は、各密着型イメージセンサ２の主走査方向両端部分にそれぞれ設けられている。
カバー部材６が閉じられると、各イメージセンサの主走査方向両端部分に設けられる従動ローラ８２は駆動ローラ８１に当接する（図２上図）。この実施例においては、従動ローラ８２が、トップカバー部材６に対して回転可能となるよう固定、支持されるとともに、画像読取装置１側に設けられた駆動ローラ８１が、イメージセンサ２および従動ローラ８２の方向へ移動可能に支持され、これに当接して作用するプレッシャユニット８３により常時イメージセンサ２および従動ローラ８２の方向へ付勢されるよう構成されている。
図３に示されるとおり、主走査方向に延設するよう設けられた駆動ローラ８１の回転軸８１０両端部分が、スキャナ本体１に設けられた側板１３に形成される摺動溝１３１に挿入されて支持され、この摺動溝１３１に沿って駆動ローラ８１が図のＺ軸方向、すなわちイメージセンサ２および従動ローラ８２に向かう方向に移動可能となるよう設けられている。駆動ローラ８１に作用するプレッシャユニット８３は、スキャナ本体１に対して回動可能に取り付けられるアーム８３２と、このアーム８３２に回転可能に取り付けられるローラ８３１、アーム８３２に作用してローラ８３２を駆動ローラ８１に圧接させる圧縮バネ８３３とにより構成されており、圧縮バネ８３３の復元力により駆動ローラ８１がイメージセンサ２および従動ローラ８２の方向に常時付勢されるよう構成されている。図示しないモータおよび伝達機構よりなる回転駆動手段により駆動ローラ８１が回転駆動すると、これに圧接されているローラ８３１が従動するよう設けられ、プレッシャユニット８３は駆動ローラ８１の回転駆動に対して負荷となることがなく、駆動ローラ８１をイメージセンサ２および従動ローラ８２の方向に付勢するよう構成されている。
【００１１】
原稿５の搬送（原稿画像読取動作）時においては、図２に示されるとおり、カバー部材６が閉じられると、原稿５は駆動ローラ８１と従動ローラ８２により挟持される。この状態で２本の駆動ローラ８１が図示しない駆動モータならびにその回転駆動力伝達機構によりそれぞれ同期して回転駆動され、これにより原稿５の副走査方向の搬送が行われる。
本実施例によれば、原稿５はイメージセンサ２の主走査方向両端側に配列される従動ローラ８２と、これに（原稿５を介して）圧接される駆動ローラ８１により挟持されて、駆動ローラ８１の回転により副走査方向へ搬送されるとともに、密着型イメージセンサ２においては、原稿５が駆動ローラ８１と従動ローラ８２に挟持された際に、イメージセンサ２（コンタクトガラス）と原稿５の表面との間に所定の間隙、すなわちギャップが形成されるよう構成されている（図２下図）。すなわち、カバー部材６において、従動ローラ８２の取り付け位置がイメージセンサ２（コンタクトガラス）よりも駆動ローラ８１に近接した位置、図に示す垂直方向で高さが異なるようにこれを配置、固定することにより、この所定のギャップが形成されるよう構成されている。これにより、本実施例によれば、例えばイメージセンサ２として使用するセンサの特性として、その焦点深度にある程度の幅があることを許容するものを採用することができ、画像読取部において副走査方向に２箇所、すなわち２本の駆動ローラ８１上で千鳥状に配列された従動ローラ８２により原稿５を支持するので、概ね２次元平面でこれを圧接、支持することができ、上記イメージセンサ２の焦点深度の許容範囲、すなわち図の所定の間隙（ギャップ）間に原稿５を確実に搬送させることができるとともに、良好な画像読み取りを行うことが可能となる。
更に、本実施例においては、原稿５の搬送経路上流側、下流側に設けられる２本の駆動ローラ８１に対して、イメージセンサ２および従動ローラ８２の方向に付勢する手段をそれぞれ独立に設けることにより、例えばハンガーを有する大判の図面等といった、副走査方向についてその厚みが一定でない原稿であっても、イメージセンサ２と原稿５の画像読取面との相対距離を常に一定とする、すなわち密着型センサ２の焦点距離に原稿５の画像読取面を位置づけることが可能となり、これにより良好な画像読取を行うことができるという効果を奏するものである。
図２に示されるとおり、原稿５が画像読取部に挿入され、搬送方向（副走査方向）上流側の駆動ローラ８１および従動ローラ８２に当接されて、さらに駆動ローラ８１が図示しない駆動手段により回転駆動されると、原稿５は駆動ローラ８１と従動ローラ８２により挟持されるが（図２中図）、このとき、従動ローラ８２はカバー部材６に対して固定するよう支持されているので、駆動ローラ８１は、プレッシャユニット８３の圧縮バネ８３３の復元力に抗してアーム８３２を図の矢印方向に回動させ、駆動ローラの回転駆動軸８１０が摺動溝１３１に摺動するように原稿５の厚み分だけ押し下げられる。
この状態で駆動ローラ８１を回転駆動させて、原稿５を副走査方向に搬送するとともに、（原稿５の搬送経路の）上流側に設けられたイメージセンサ２により原稿画像の読み取りを行う。
原稿５の搬送、イメージセンサ２による画像読み取りを順次行うと、原稿５の先端部分は副走査方向下流側の駆動ローラ８１および従動ローラ８２に当接し、更に搬送されることにより、プレッシャユニット８３の圧縮バネ８３３の復元力に抗して駆動ローラ８１を押し下げて、搬送経路下流側の駆動ローラ８１と従動ローラ８２に挟持される。（図２下図)
このとき、搬送経路上流側の駆動ローラ８１においては、原稿５の厚みに追従して（摺動溝１３１に沿って）従動ローラ８２およびイメージセンサ２の方向に摺動するので、これにより原稿５の画像読取面とイメージセンサ２との距離が、原稿の厚みの変化に応じることなく一定に保たれるよう構成されている。また、図２下図に示されるとおり、原稿搬送経路上流側および下流側に設けられる駆動ローラ８１はそれぞれ独立に摺動可能に設けられていることにより、原稿５の厚みが副走査方向について一定でない場合であっても、イメージセンサ２と原稿５の画像読取面との相対距離を常に一定とすることができるよう構成されている。
以上詳述したとおり、本発明の画像読取装置においては、千鳥状に２列に配列される各イメージセンサの主走査方向両端側に、原稿を介して互いに圧接される駆動ローラと従動ローラを設けて、原稿を挟持、搬送するよう構成したので、ローラ部材の使用点数を削減することができ、装置を安価に作成することが可能となる。
【実施例２】
【００１２】
図４および図５は、上述の本願発明の第１実施例装置に、原稿搬送方向上流側の駆動ローラ８１と従動ローラ８２に原稿５が挟持された際に、下流側の駆動ローラ８１が所定量押し下げられて従動ローラ８２との間に隙間が形成されるよう構成したものである。
この第２実施例においては、主走査方向両端側に原稿搬送方向上流側ならびに下流側のそれぞれの駆動ローラ８１の回転軸８１０に係合するリンク機構８４が設けられている。このリンク機構８４は、溝８４１，８４２が形成されるプレート８４０と、このプレート８４０をスキャナ本体１の側板１３に回動可能に支持する回転軸８４３、プレート８４０を常時付勢する引張バネ８４４とにより構成されている。
プレート８４０に形成される溝８４１は、図４および図５に示されるとおり、原稿５の搬送経路上流側に設けられる駆動ローラ８１の回転軸８１０の下側に係合するよう形成され、これにより原稿５の挟持に伴って、これが押し下げられる際に追従してプレート８４０が押し下げられるよう形成されており、溝８４２は、同じく下流側の駆動ローラ８１の回転軸８１０の上側に係合するよう形成されている。引張バネ８４４は、回転軸８４３を軸としてプレート８４０を常時上方、すなわち（プレッシャユニット８３と同じく）原稿搬送経路上流側の駆動ローラ８１をイメージセンサ２ならびに従動ローラ８２に圧接する方向へ付勢するよう設けられている。（図４上図）
この第２実施例の画像読取装置において、原稿５が画像読取部に挿入されて上流側の駆動ローラ８１および従動ローラ８２に挟持される際、図４中図に示されるとおり、原稿５の厚みに応じて上流側の駆動ローラ８１が押し下げられると、その回転軸８１０に係合しているプレート８４０を引張バネ８４４の復元力に抗してこれを押し下げて、プレート８４０の溝８４２に係合している下流側の駆動ローラ８１（の回転軸８１０）も押し下げ、これにより下流側の駆動ローラ８１と従動ローラ８２の圧接を解除し、これらの間に隙間を形成する。
さらに原稿５が順次搬送されてその先端が下流側の駆動ローラ８１ならびに従動ローラ８２に到達すると、形成されている隙間に原稿５が挿入されて、下流側の駆動ローラ８１は原稿５の厚みに応じてプレート８４０の係合を脱して押し下げられる。（図４下図）
この第２実施例のように構成することにより、下流側の駆動ローラ８１と従動ローラ８２の間に原稿５が挿入される時の衝撃を、それぞれが圧接されている場合に比べて緩和させることができるので、圧接されている下流側の駆動ローラ８１と従動ローラ８２に原稿が衝突し、更に原稿が搬送されることにより生じるジャム現象（原稿が複雑に折り重なる搬送不良状態）を防止することが可能となる。
【００１３】
上述の実施例においては、原稿５を搬送する際にこれをガイドする原稿ガイド１４を、画像読取装置本体１に対して固定するよう設けたが、原稿５の厚みに応じて変位する駆動ローラ８１に追従するよう構成してもよい。
図６および図７は、駆動ローラ８１の変位に応じてこれに追従するよう原稿ガイド１４を構成したものであり、駆動ローラ８１が突出するよう形成される孔部１４１を有する原稿ガイド本体１４０と、主走査方向両端側に設けられ、駆動ローラ８１の回転駆動軸８１０が回転可能に挿入される側板１４２とにより構成されている。
図６に示されるとおり、原稿５が画像読取部に挿入されて搬送方向上流側の駆動ローラ８１および従動ローラ８２に挟持されると、原稿５の厚みに応じて上流側の駆動ローラ８１が押し下げられるとともに、原稿ガイド１４もこれと同期して押し下げられる（図６中図）。駆動ローラ８１が回転駆動されることにより原稿５が副走査方向へ搬送されると、その先端が下流側の駆動ローラ８１ならびに従動ローラ８２に到達し、更に駆動ローラ８１を押し下げることにより、原稿５は駆動ローラ８１および従動ローラ８２により挟持される（図６下図）。
このように、原稿ガイド１４を駆動ローラ８１とともに原稿５の厚みに応じて変位するよう設けることにより、例えば図６中図に示される、上流側の駆動ローラ８１と従動ローラ８２のみで挟持されている状態から、図６下図に示す下流側の駆動ローラ８１と従動ローラ８２とで挟持されるまでの間に、原稿５の先端部分が原稿ガイド１４（の本体１４０）に衝突することを避けることが可能となる。これにより、原稿５の搬送中に、その先端部分と原稿ガイド１４が衝突する際に生じる上流側のセンサ２による画像の読取不良を防止することができるという効果を奏する。
【００１４】
上述の実施例においては、駆動ローラ８１を、千鳥状に２列に配列される各イメージセンサとその主走査方向両端側に設けられる従動ローラ８２に対応して千鳥状に２列に配設するよう構成したが、図８に示されるとおり、互いに副走査方向に間隔ｌだけ離反した２本のローラでこれを構成してもよい。
更に、上述の実施例においては、各イメージセンサ２の両側に設けた従動ローラ８２を、カバー部材６に対して回転可能となるよう固定、支持するとともに、従動ローラ８２と駆動ローラ８１（原稿５の表面）が圧接する際に、駆動ローラ８１（原稿５の表面）に対して、イメージセンサ２（コンタクトガラス）との間に所定の間隙、ギャップが形成されるよう構成したが、この駆動ローラ８１とイメージセンサ２とのギャップを０にして、原稿５を駆動ローラ８１によりイメージセンサ２に圧接するよう構成し、これにより原稿５をイメージセンサ２のコンタクトガラスに密着させて搬送するよう設けても良い。
【実施例３】
【００１５】
図９は、本願発明の画像読取装置において、一個のイメージセンサ２の幅程度の原稿５を読み取る際の搬送を示す図であり、この場合、原稿搬送方向上流側のイメージセンサ２ａ，２ｃ，２ｅのうち、中央のイメージセンサ２ｃを基準とする、すなわち主走査方向のセンター部分を原稿搬送の基準と設定し、操作者は原稿５の中心をこのイメージセンサ２ｃの中心に合わせるよう原稿５をセットする（図９上図）。このとき、イメージセンサ２ｃの主走査方向両側のピンチローラ８２と駆動ローラ８１（図示せず）とでこの原稿５を挟持し、図示しない回転駆動手段により駆動ローラ８１を回転駆動すると、原稿５は副走査方向に搬送され、その先端部分が原稿搬送経路下流側のイメージセンサ２ｂ，２ｄの各々片側に配設されている従動ローラ８２（および駆動ローラ８１）に当接し、更に搬送されると、図９中図に示されるとおり、イメージセンサ２ｃ両端側の従動ローラ８２およびイメージセンサ２ｂ，２ｄのそれぞれ片側の従動ローラ８２の計４箇所で駆動ローラ８１とにより挟持され、搬送される。
この４点で挟持されている間は原稿５は良好に搬送されるが、順次搬送が行われて原稿５の副走査方向後端がこの上流側のイメージセンサ２ｃ両側の従動ローラ８２の挟持を脱すると、図９下図に示されるように、原稿５を挟持する箇所が結果的に主走査方向中央部分に偏ってしまうこととなる。
原稿５を搬送する場合、このイメージセンサ２ｂ，２ｄのそれぞれ片側の従動ローラ８２でその主走査方向中央部分のみを挟持している状態においては、この部分を中心とした回転方向に原稿５が回転しやすくなり、不安定な状態となってしまう。その結果、ジャム現象などの搬送不良や読取画像の品質低下を起こしてしまうといった不具合を生じる場合がある。
この不具合を解消するために、本願発明の第３実施例においては、千鳥状に２列に配列されるイメージセンサについて、原稿搬送方向上流側と下流側とでイメージセンサの主走査方向の配列間隔を異なるようにして設けた。
図１０は、この本願発明の第３実施例を示す図であり、上述の第１実施例においては、イメージセンサの主走査方向の配列間隔が一定であるのに対し、この第３実施例においては、原稿搬送（副走査）方向上流側のセンサの配列間隔Ｃよりも、下流側のセンサの配列間隔Ｄを大きくして構成したことを特徴としている。
すなわち、この本願発明の第３実施例においては、原稿搬送方向上流側のイメージセンサ２ａ，２ｃ，２ｅのうち、中央のイメージセンサ２ｃを基準とする、すなわち主走査方向のセンター部分を原稿搬送の基準として設定し、原稿搬送（副走査）方向下流側のイメージセンサ２ｂ，２ｄを、主走査両側方向に離反するように、上記基準となるイメージセンサ２ｃの読取画素と重なる領域Ａが小さくなるよう配設する。この結果、イメージセンサ２ａと２ｂおよび２ｄと２ｅとの読取画素の重なる領域Ｂは上記領域Ａよりも大きくなる。
このように原稿搬送方向下流側のイメージセンサ２ｄと２ｅの配列間隔Ｄを上流側の配列間隔Ｃよりも大きくすることにより、各々のセンサ２の両側に設けられる従動ローラ８２の離反距離も大きくなるので、幅の小さい原稿５を読み取る場合であっても、原稿搬送方向下流側において原稿５の両端側部分を従動ローラ８２および駆動ローラ８１で挟持することができることとなる。従って、原稿５の搬送が順次行われて副走査方向後端部分が上流側の駆動ローラ８１および従動ローラ８２の挟持を脱しても（図１０下図）、下流側の駆動ローラ８１および従動ローラ８２で原稿５の両端側部分を挟持しているので、搬送が不安定になることが無く、良好な画像読取を行うことができるという効果を奏する。
従って、この第３実施例によれば、大判の原稿から幅の小さい原稿まで良好に搬送することが可能となる。
以上の実施例においては、原稿搬送の基準を原稿搬送方向上流側の中央のセンサとしたが、基準の設定はどのセンサでもよく、また上流側下流側の何れに設定して構成してもよい。
【図面の簡単な説明】
【００１６】
【図１】本発明の画像読取装置の構成を示す斜視図である。
【図２】本発明の画像読取装置の構成を示す断面図である。
【図３】本発明の画像読取装置の駆動ローラ部分を示す図である。
【図４】本発明の第２実施例の構成を示す断面図である。
【図５】本発明の第２実施例の駆動ローラ部分を示す図である。
【図６】本発明の画像読取装置における原稿ガイドの別の構成を示す断面図である。
【図７】本発明の画像読取装置における原稿ガイドの別の構成を示す図である。
【図８】本発明の画像読取装置における駆動ローラ部分の別の構成を示す図である。
【図９】本発明の画像読取装置による原稿搬送状態を示す図である。
【図１０】本発明の第３実施例を示す図である。
【図１１】従来の画像読取装置の構成を示す図である。
【図１２】先の出願の画像読取装置を示す図である。
【符号の説明】
【００１７】
１      スキャナ本体
２      密着型イメージセンサ
３      原稿搬送部
４      原稿押圧部
５      原稿
６      トップカバー部
７      制御部
８      原稿搬送部
【図１】
2006313995.tif 000003
【図２】
2006313995.tif 000004
【図３】
2006313995.tif 000005
【図４】
2006313995.tif 000006
【図５】
2006313995.tif 000007
【図６】
2006313995.tif 000008
【図７】
2006313995.tif 000009
【図８】
2006313995.tif 000010
【図９】
2006313995.tif 000011
【図１０】
2006313995.tif 000012
【図１１】
2006313995.tif 000013
【図１２】
2006313995.tif 000014